(57)【特許請求の範囲】
【請求項１】
車両に搭載される音響装置本体に、着脱自在なコントロールパネルを設け、このコントロールパネルに、前記音響装置本体にコントロールパネルを介して接続されるオーディオユニットを着脱自在に設け、前記コントロールパネルは、前記オーディオユニットをスライドさせて取り付け自在なレールを備えたことを特徴とする車載用音響装置。
【請求項２】
前記レールは、オーディオ機能の異なる複数のオーディオユニットを取り付け自在に構成されることを特徴とする請求項１に記載の車載用音響装置。
【請求項３】
前記レールには、このレールに沿って前記オーディオユニットを挿入するための挿入部が、前記コントロールパネルの側面に形成され、このコントロールパネルが、前記音響装置本体に設けられた嵌合部に、前記挿入部を隠すように嵌合することを特徴とする請求項1又は２に記載の車載用音響装置。
【請求項４】
前記コントロールパネルは、付勢部により前記コントロールパネルから前記オーディオユニットに向かって突出する突起部を備え、前記オーディオユニットが、前記コントロールパネル上の固定位置に位置しているときに、前記突起部が前記オーディオユニットに設けられた受部に引っ掛かって前記オーディオユニットを固定することを特徴とする請求項１乃至３のいずれかに記載の車載用音響装置。
【請求項５】
前記コントロールパネルと前記オーディオユニットとは、磁石を対極が向かい合わせになるように備え、この磁石の磁力により、前記オーディオユニットが前記コントロールパネルに固定されることを特徴とする請求項１乃至４のいずれかに記載の車載用音響装置。
【請求項６】
前記コントロールパネルは、前記音響装置本体と電気的に接続されるインタフェース部を備え、前記オーディオユニットは、前記インタフェース部を介して前記音響装置本体と電気的に接続されることを特徴とする請求項１乃至５のいずれかに記載の車載用音響装置。
【請求項７】
前記コントロールパネルは、接続可能な前記オーディオユニットのいずれにも対応可能な複数のコントロールパネル側端子を備えた共通コネクタを有し、前記オーディオユニットは、前記複数のコントロールパネル側端子のうち少なくとも一部に対応するオーディオユニット側端子を備えた個別コネクタを有していることを特徴とする請求項１乃至６のいずれかに記載の車載用音響装置。
【請求項８】
前記コントロールパネルは、前記音響装置本体と電気的に接続されるインタフェース部を備え、前記共通コネクタは、前記インタフェース部を介して前記音響装置本体と電気的に接続されることを特徴とする請求項７に記載の車載用音響装置。
【発明の詳細な説明】
【技術分野】
【０００１】
本発明は、車載用音響装置に関する。
【背景技術】
【０００２】
従来、自動車等の車両に搭載される音響装置においては、運転者が車両から離れたすきに、当該音響装置が盗まれることを防止するものが知られている。このような音響装置では、音響装置本体の正面に設けられたコントロールパネルを着脱自在に構成し、運転者が車両を離れる際に、操作部だけを音響装置本体から取り外して持ち出せるようにしたものが提案されている（例えば、特許文献１参照）。
【特許文献１】特開平０８−２５０９４６号公報
【発明の開示】
【発明が解決しようとする課題】
【０００３】
しかしながら、上記従来の技術にあっては、音響装置本体の正面は、常に一定の外観を構成するコントロールパネルを備えているだけであり、ユーザの好みに応じて自由に外観構成を変更することができなかった。また、使用している音響装置にはない機能が必要な場合には、音響装置自体を新たなものに替えなくてはならなかった。
本発明は、上述した事情に鑑みてなされたものであり、音響装置の正面の外観構成を自由に変更することが可能であり、さらには、新たな機能を容易に追加することができる音響装置を提供することを目的とする。
【課題を解決するための手段】
【０００４】
本発明は、車両に搭載される音響装置本体に、着脱自在なコントロールパネルを設け、このコントロールパネルに、前記音響装置本体にコントロールパネルを介して接続されるオーディオユニットを着脱自在に設け、前記コントロールパネルは、前記オーディオユニットをスライドさせて取り付け自在なレールを備えたことを特徴とする。
【０００６】
また好ましくは、前記レールは、オーディオ機能の異なる複数のオーディオユニットを取り付け自在に構成されることを特徴とする。【０００７】
また好ましくは、前記レールには、このレールに沿って前記オーディオユニットを挿入するための挿入部が、前記コントロールパネルの側面に形成され、このコントロールパネルが、前記音響装置本体に設けられた嵌合部に、前記挿入部を隠すように嵌合することを特徴とする。【０００８】
また好ましくは、前記コントロールパネルは、付勢部により前記コントロールパネルから前記オーディオユニットに向かって突出する突起部を備え、前記オーディオユニットが、前記コントロールパネル上の固定位置に位置しているときに、前記突起部が前記オーディオユニットに設けられた受部に引っ掛かって前記オーディオユニットを固定することを特徴とする。【０００９】
また好ましくは、前記コントロールパネルと前記オーディオユニットとは、磁石を対極が向かい合わせになるように備え、この磁石の磁力により、前記オーディオユニットが前記コントロールパネルに固定されることを特徴とする。【００１０】
また好ましくは、前記コントロールパネルは、前記音響装置本体と電気的に接続されるインタフェース部を備え、前記オーディオユニットは、前記インタフェース部を介して前記音響装置本体と電気的に接続されることを特徴とする。【００１１】
また好ましくは、前記コントロールパネルは、接続可能な前記オーディオユニットのいずれにも対応可能な複数のコントロールパネル側端子を備えた共通コネクタを有し、前記オーディオユニットは、前記複数のコントロールパネル側端子のうち少なくとも一部に対応するオーディオユニット側端子を備えた個別コネクタを有していることを特徴とする。【００１２】
また好ましくは、前記コントロールパネルは、前記音響装置本体と電気的に接続されるインタフェース部を備え、前記共通コネクタは、前記インタフェース部を介して前記音響装置本体と電気的に接続されることを特徴とする。
【発明の効果】
【００１３】
本発明によれば、音響装置の正面の外観構成を自由に変更することが可能であり、さらには、新たな機能を容易に追加することができる。
【図面の簡単な説明】
【００１４】
【図１】本発明の実施の形態に係る音響装置の外観を示す斜視図である。
【図２】音響装置の機能的構成を示すブロック図である。
【図３】小型オーディオユニットケースに格納されたオーディオユニットの下面図である。
【図４】小型オーディオユニットケースに格納されたオーディオユニットの正面図である。
【図５】小型オーディオユニットケースに格納されたオーディオユニットの側面図である。
【図６】大型オーディオユニットケースに格納されたオーディオユニットの下面図である。
【図７】大型オーディオユニットケースに格納されたオーディオユニットの正面図である。
【図８】大型オーディオユニットケースに格納されたオーディオユニットの側面図である。
【図９】コントロールパネルの下面図である。
【図１０】コントロールパネルの正面図である。
【図１１】コントロールパネルの側面図である。
【図１２】コントロールパネルにオーディオユニットを挿入するときの下面図である。
【図１３】コントロールパネルにオーディオユニットを挿入するときの正面図である。
【図１４】コントロールパネルにオーディオユニットを挿入するときの側面図である。
【図１５】突起部が取付部の底面に当接している様子を示す断面図である。
【図１６】突起部が受部と係合している様子を示す断面図である。
【図１７】音響装置本体にコントロールパネルを差し込むときの斜視図である。
【図１８】オーディオユニットの組み合わせ例を示す正面図である。
【図１９】オーディオユニットの組み合わせ例を示す正面図である。
【図２０】オーディオユニットの組み合わせ例を示す正面図である。
【図２１】オーディオユニットの組み合わせ例を示す正面図である。
【図２２】変形例に係る音響装置を示す下面図である。
【図２３】変形例に係る音響装置を示す正面図である。
【図２４】変形例に係る音響装置を示す側面図である。
【符号の説明】
【００１５】
１  音響装置本体
２  コントロールパネル
１１  インタフェース部
２１  嵌合部
２２  レール
２５  側面
２６  挿入部
２８  ばね（付勢部）
２９  突起部
３０  受部
３４  共通コネクタ
３５  個別コネクタ
３６  コントロールパネル側端子
３７  オーディオユニット側端子
３８  コントロールパネル側磁石
３９  オーディオユニット側磁石
１００  音響装置（車載用音響装置）
１０１  車両
Ａｕ−１  オーディオ操作／イコライザユニット（オーディオユニット）
Ａｕ−２  オーディオプレーヤユニット（オーディオユニット）
Ａｕ−３  ラジオユニット（オーディオユニット）
【発明を実施するための最良の形態】
【００１６】
以下、図面を参照しつつ本発明の実施の形態について説明する。
図１は、本実施の形態に係る音響装置（車載用音響装置）１００の外観を示す斜視図である。この図１に示すように、音響装置１００は、車両１０１のダッシュボード１０２に設けられた所定の収納スペース１０３に嵌め込まれる音響装置本体１を備えている。この音響装置本体１の正面には、コントロールパネル２と、このコントロールパネル２に着脱自在に取り付けられた複数のオーディオユニットとを備えている。音響装置１００は、オーディオユニットとして、イコライザとして機能するとともにユーザがコントロールパネル２に取り付けられた各オーディオユニットを操作するためのオーディオ操作／イコライザユニットＡｕ−１と、ソリッドステートプレーヤとしてのオーディオプレーヤユニットＡｕ−２と、ユーザが音響装置本体１に設けられたチューナ部３２（図２参照）を操作するためのラジオユニットＡｕ−３とを備えている。以下の説明では、オーディオユニットの種類を特に識別しない場合に、オーディオユニットＡｕと表記するものとする。
コントロールパネル２には、操作パネル２３が設けられている。この操作パネル２３は、ユーザが各オーディオユニットＡｕ及びチューナ部３２を除く音響装置１００の各種操作を行うユーザインタフェースであり、複数の操作スイッチや操作ボタンを備えている。【００１７】
図２は、本実施形態にかかる音響装置１００の構成を示すブロック図である。この図において、制御部７は、音響装置１００の各部の制御や各種演算処理を実行するものである。この制御部７は、制御用プログラム及び制御用データを予め記憶しているＲＯＭと、このＲＯＭ内の制御用プログラムに基づいて音響装置１００全体を制御するＣＰＵと、各種データを一時的に格納するＲＡＭとを備えている。【００１８】
操作部６は、ユーザが制御部７を介して音響装置１００の各種操作を行うユーザインタフェースであり、コントロールパネル２に設けられた操作パネル２３を備えている。
チューナ部３２は、アンテナ３３を備え、このアンテナ３３を介してラジオ放送電波を取得するものである。このチューナ部３２は、制御部７の制御の下、取得したラジオ放送電波に基づく音声信号を、制御部７に出力する。
ＨＤＤ８は、複数の音声情報を記憶可能に構成され、制御部７の制御の下、選択された音声情報を音声再生部９に出力するものである。
音声再生部９は、制御部７の制御下で、選択された音声情報を再生し、この再生した音声信号を音声出力部１０へと出力するものである。
音声出力部１０は、制御部７の制御下で、音声再生部９にて再生された音声信号に基づいて音声をスピーカ装置（不図示）に出力するものであり、ＤＳＰ（Digital Signal Processor）と、音量を調整する電子ボリューム回路と、アンプとを備える。【００１９】
インタフェース部１１は、コントロールパネル２に配置されて、コントロールパネル２とこのコントロールパネル２に取り付けられた各種オーディオユニットＡｕとを電気的に接続し、信号のやりとりを仲介する装置である。本実施形態では、コントロールパネル２に取り付けられるオーディオユニットＡｕに格納される内部機器として、オーディオ操作部１２、イコライザ部１３、オーディオプレーヤ部１４及びラジオ操作部１５を備え、これらオーディオ操作部１２、イコライザ部１３、オーディオプレーヤ部１４及びラジオ操作部１５が、インタフェース部１１に電気的に接続される。
オーディオ操作部１２は、ユーザがコントロールパネル２に取り付けられた各オーディオユニットＡｕを操作するためのユーザインタフェースである。
イコライザ部１３は、音声信号の全体的な周波数特性を加工・調節するための電気回路である。
オーディオプレーヤ部１４は、半導体等で構成されたソリッドステートプレーヤである。
ラジオ操作部１５は、ユーザがチューナ部３２を操作するためのユーザインタフェースである。このラジオ操作部１５は、図示せぬ表示パネルを備え、チューナ部３２が受信しているラジオ放送電波の周波数帯域を表示する。【００２０】
図３は、小型オーディオユニットケースＳに格納されたオーディオユニットＡｕ−２，Ａｕ−３の下面図である。図４は、小型オーディオユニットケースＳに格納されたオーディオユニットＡｕ−２，Ａｕ−３の正面図である。図５は、小型オーディオユニットケースＳに格納されたオーディオユニットＡｕ−２，Ａｕ−３の側面図である。
オーディオプレーヤ部１４は、図３に示すような矩形の筐体を備えた小型オーディオユニットケースＳに格納されてオーディオプレーヤユニットＡｕ−２を構成している。
ラジオ操作部１５は、オーディオプレーヤ部１４と同様に、小型オーディオユニットケースＳに格納されてラジオユニットＡｕ−３を構成している。
小型オーディオユニットケースＳは、コントロールパネル２に取り付ける面に、コントロールパネル２に差し込んで取り付けるための取付部１６を備えている。この取付部１６は、コントロールパネル２に向かって突出しており、小型オーディオユニットケースＳの長手方向一杯に延在している。また、取付部１６は、取付部１６の幅方向両端に、幅方向外側に向かって突出するとともに、取付部１６の長手方向一杯に延在して形成された引掛部１７を備えている。【００２１】
図６は、大型オーディオユニットケースＬに格納されたオーディオユニットＡｕ−１の下面図である。図７は、大型オーディオユニットケースＬに格納されたオーディオユニットＡｕ−１の正面図である。図８は、大型オーディオユニットケースＬに格納されたオーディオユニットＡｕ−１の側面図である。
オーディオ操作部１２及びイコライザ部１３は、図６に示すような矩形の筐体を備えた大型オーディオユニットケースＬに格納されてオーディオ操作／イコライザユニットＡｕ−１を構成している。
大型オーディオユニットケースＬは、小型オーディオユニットケースＳと同様、コントロールパネル２に取り付ける面に、コントロールパネル２に差し込んで取り付けるための取付部１８を備えている。大型オーディオユニットケースＬは、その幅が小型オーディオユニットケースＳの約２倍であるため、長手方向に平行に配置された二つの取付部１８を備えている。この取付部１８は、小型オーディオユニットケースＳに設けられた取付部１６と同様のものである。取付部１８は、コントロールパネル２に向かって突出しており、大型オーディオユニットケースＬの長手方向一杯に延在している。また、取付部１８は、取付部１８の幅方向両端に、幅方向外側に向かって突出するとともに、取付部１８の長手方向一杯に延在して形成された引掛部１９を備えている。【００２２】
図９は、コントロールパネルの下面図である。図１０は、コントロールパネルの正面図である。図１１は、コントロールパネルの側面図である。
オーディオ操作／イコライザユニットＡｕ−１、オーディオプレーヤユニットＡｕ−２及びラジオユニットＡｕ−３が取り付けられるコントロールパネル２は、図１０に示すように、板状の本体着脱部２０の中央に、矩形の操作部６を備えている。本体着脱部２０及び操作部６の幅寸法は、大型オーディオユニットケースＬの幅寸法と略同寸法、すなわち、小型オーディオユニットケースＳの幅寸法の略２倍に形成されている。
操作部６は、前面に操作パネル２３を備えている。この操作部６の左右には、本体着脱部２０上に、それぞれにオーディオユニットＡｕを取り付けるためのレール２２が二つずつ本体着脱部２０の長手方向と平行に設けられている。各レール２２は、側面２５から操作部６に向かって延在するように設けられている。レール２２の幅方向両端には、オーディオユニットＡｕの引掛部１７，１９を引っ掛けるためのレール引掛部２４が設けられている。このレール引掛部２４は、レール２２の内側に向かって突出するように形成されるとともに、レール２２に沿って延在するように形成されている。本体着脱部２０の側面２５には、オーディオユニットＡｕの取付部１６，１８を差し込むための挿入部２６が設けられており、オーディオユニットＡｕは、コントロールパネル２の横方向から挿入される。【００２３】
図１２は、コントロールパネル２にオーディオユニットＡｕを挿入するときの下面図である。図１３は、コントロールパネル２にオーディオユニットＡｕを挿入するときの正面図である。図１４は、コントロールパネル２にオーディオユニットＡｕを挿入するときの側面図である。
コントロールパネル２にオーディオユニットＡｕを取り付ける際には、図１３に示すように、挿入部２６からオーディオユニットＡｕの取付部１６，１８を、本体着脱部２０の長手方向に挿入する。なお、図１３は、オーディオ操作／イコライザユニットＡｕ−１が、コントロールパネル２左側にある二つのレール２２に取り付けられており、右側にある二つのレール２２すなわちレール２２ａ、２２ｂのうち、上段側のレール２２ａにオーディオプレーヤユニットＡｕ−２を差し込んでいる最中の状態を示す図である。挿入部２６から取付部１６を挿入すると、取付部１６は、レール２２ａに沿って奥までスライドする。このとき、取付部１６には引掛部１７が設けられていることにより、この引掛部１７がレール２２ａのレール引掛部２４に嵌合して引っ掛かっている。これにより、オーディオプレーヤユニットＡｕ−２等のそれぞれのオーディオユニットＡｕは、コントロールパネル２の前方への移動が規制される。【００２４】
図１５は、突起部２９が取付部１６の底面に当接している様子を示す断面図である。図１６は、突起部２９が受部３０と係合している様子を示す断面図である。
本体着脱部２０には、図１５に示すように、各レール２２の操作部６側端部近傍に二つずつの突起収納穴２７が設けられている。なお、図１５では、オーディオプレーヤユニットＡｕ−２を、レール２２ａに差し込んでいる様子を示している。突起収納穴２７の中には、金属製のボールである突起部２９と、この突起部２９を突起収納穴２７の外側に向かって突出させるためのばね（付勢部）２８が配置されている。突起収納穴２７は、レール２２側の端部の内径が突起部２９の外形よりも小さくなるように形成されている。これにより、突起部２９は、ばね２８の付勢力によって、突起収納穴２７の外側に向かって押されても突起収納穴２７から完全に抜け出てしまうことがない。一方、取付部１６には、突起収納穴２７の外側に向かって突出した突起部２９と係合する受部３０が設けられている。この受部３０は、取付部１６の長手方向両端近傍にそれぞれ設けられており、本体着脱部２０に左右二本ずつ設けられたレール２２のどの突起部２９とも係合することができる。小型オーディオユニットケースＳは長手方向両端近傍に２個ずつの受部３０が設けられ、大型オーディオユニットケースＬは長手方向両端近傍に４個ずつの受部３０が設けられている。
コントロールパネル２に、オーディオプレーヤユニットＡｕ−２等のオーディオユニットＡｕを挿入し、取付部１６がレール２２をスライドしているときに、突起部２９は、図１５に示すように、取付部１６の底面に当接している。これにより、突起部２９は、突起収納穴２７から突出することなく突起収納穴２７の中に押し込められている。【００２５】
取付部１６がレール２２の奥まで挿入されて固定位置まで達すると、図１６に示すように、受部３０と突起収納穴２７との位置が一致する。このとき、突起部２９は、ばね２８の付勢力により突起収納穴２７から突出し、受部３０に係合して引っ掛かる。突起部２９が受部３０に係合して引っ掛かることにより、取付部１６は、レール２２上におけるスライド移動が規制される。ここで、突起部２９に対してレール２２のスライド方向に力が加えられたときに、受部３０が突起部２９に当たって突起部２９を突起収納穴２７の底部に向かって押し込む力が生じる。このとき、突起部２９を押し込む力が、ばね２８の付勢力よりも大きい場合に、突起部２９は突起収納穴２７から突出しない位置まで押し込まれ、突起部２９と受部３０との引っ掛かりが解除される。大型オーディオユニットケースＬの取付部１８も、小型オーディオユニットケースＳの取付部１６と同様の構成を備えている。【００２６】
各オーディオユニットＡｕがコントロールパネル２に取り付けられると、各オーディオユニットＡｕとコントロールパネル２とが電気的に接続される。コントロールパネル２は、少なくとも、音声信号の入出力端子、電源端子、制御信号端子、デジタル入出力端子をコントロールパネル側端子３６として備え、コントロールパネル２のインタフェース部１１に電気的に接続された複数の共通コネクタ３４を有している。コントロールパネル２に取り付けられた各オーディオユニットＡｕは、それぞれ音声信号の入出力端子、電源端子、制御信号端子、デジタル入出力端子のうち少なくとも一部に対応するオーディオユニット側端子３７を備えた個別コネクタ３５を有している。各オーディオユニットＡｕは、この個別コネクタ３５で共通コネクタ３４に接続されて、コントロールパネル２に接続される。各共通コネクタ３４は、レール２２毎に一つずつ設けられており、各オーディオユニットＡｕの個別コネクタ３５は、いずれの共通コネクタ３４とも接続可能である。このため、各オーディオユニットＡｕとコントロールパネル２とは、オーディオユニットＡｕを取り付けるレール２２を変更した場合であっても、容易に電気的に接続することができる。
ここで、オーディオ操作／イコライザユニットＡｕ−１に設けられた個別コネクタ３５は、少なくとも、音声信号の入出力端子、電源端子及び制御信号端子をオーディオユニット側端子３７として備えている。オーディオプレーヤユニットＡｕ−２に設けられた個別コネクタ３５は、少なくとも、電源端子、制御信号端子及びデジタル入出力端子をオーディオユニット側端子３７として備えている。ラジオユニットＡｕ−３に設けられた個別コネクタ３５は、少なくとも、電源端子及び制御信号端子をオーディオユニット側端子３７として備えている。【００２７】
コントロールパネル２に、オーディオ操作／イコライザユニットＡｕ−１、オーディオプレーヤユニットＡｕ−２及びラジオユニットＡｕ−３が取り付けられると、コントロールパネル２は、図１７に示すように、音響装置本体１に取り付けられる。このとき、コントロールパネル２は、磁石等で音響装置本体１に取り付けられ、コントロールパネル２と音響装置本体１とは、上述した複数の共通コネクタ３４を一つにまとめた集合コネクタ（不図示）で接続される。
音響装置本体１の前部には、コントロールパネル２の本体着脱部２０を嵌め込むための、凹形状である嵌合部２１が設けられている。本体着脱部２０が、嵌合部２１に嵌め込まれると、嵌合部２１の内壁３１が本体着脱部２０の側面２５を覆うことにより、挿入部２６が塞がれる。これにより、オーディオユニットＡｕが本体着脱部２０から抜けなくなり、さらには、図１に示すように、挿入部２６が外部に露出させることなく、オーディオユニットＡｕを着脱自在にすることができる。【００２８】
本発明によると、ユニット化したオーディオ機器である各種オーディオユニットＡｕを、容易かつ自由に組み合わせてコントロールパネル２に取り付けることができるため、音響装置１００の正面の外観構成をユーザの好みや利便性に応じて組み合わせ方を変更することができる。例えば、図１８では、コントロールパネル２の左右のレール２２に、それぞれ大型オーディオユニットケースＬに格納されたオーディオ操作／イコライザユニットＡｕ−１と同形状の大型オーディオユニットＡｕ−Ｌ１、Ａｕ−Ｌ２を配置している。図１９では、コントロールパネル２の左側のレール２２に、大型オーディオユニットＡｕ−Ｌ１を配置し、コントロールパネル２の右側のレール２２に、小型オーディオユニットケースＳに格納されたオーディオプレーヤユニットＡｕ−２及びラジオユニットＡｕ−３と同形状の小型オーディオユニットＡｕ−Ｓ１及びＡｕ−Ｓ２を配置している。図２０では、コントロールパネル２の左側のレール２２に、小型オーディオユニットＡｕ−Ｓ１及びＡｕ−Ｓ２と同形状の小型オーディオユニットＡｕ−Ｓ３及びＡｕ−Ｓ４を配置し、コントロールパネル２の右側のレール２２に、大型オーディオユニットＡＵ−Ｌ２を配置している。図２１では、コントロールパネル２の左側のレール２２に、小型オーディオユニットＡｕ−Ｓ３及びＡｕ−Ｓ４を配置し、コントロールパネル２の右側のレール２２に、小型オーディオユニットＡｕ−Ｓ１及びＡｕ−Ｓ２を配置している。このように、ユーザが、各種オーディオユニットＡｕを容易かつ自由に組み合わせることができるため、各種オーディオユニットＡｕを、ユーザの好みに応じて組み合わせたり、ユーザが音響装置１００を操作し易いように組み合わせたりすることができる。【００２９】
さらに、本発明によると、例えば、ユーザが、新たな機能を備えたオーディオユニットＡｕを取り付けて接続するだけで、音響装置１００が今まで備えていなかった新たな機能を容易に追加することができる。これにより、例えば、携帯用メモリオーディオのインタフェースとして機能するオーディオユニットＡｕを取り付けて接続するだけで、音響装置１００を携帯用メモリオーディオに対応することができる。また、例えば、国や地域毎の周波数帯域に対応したラジオチューナとして機能するオーディオユニットＡｕを取り付けて接続するだけで、音響装置１００は、その国や地域に対応した周波数帯域のラジオ放送を受信することができる。【００３０】
以上、一実施形態に基づいて本発明を説明したが、本発明は、これに限定されるものではない。上記実施形態では、オーディオユニットＡｕに設けられた受部３０と係合する突起部２９が、各レール２２の操作部６側の端部近傍に二つずつ設けられているが、これに限定されない。例えば、突起部２９は、各レール２２のスライド方向の中央に設けられていてもよく、また、各レール２２に設けられた突起部２９の数も二つに限定されることはない。【００３１】
図２２は、変形例に係る音響装置を示す下面図である。図２３は、変形例に係る音響装置を示す正面図である。図２４は、変形例に係る音響装置を示す側面図である。
上記実施形態では、オーディオユニットＡｕのレール２２上の移動を規制するのに、ばね２８により突出する突起部２９を備え、オーディオユニットＡｕがレール２２上の固定位置までスライドしたときに、突起部２９が、取付部１６，１８に設けられた受部３０に引っ掛けられる構成であるが、これに限定されることはない。例えば、図２２に示すように、取付部１６，１８にオーディオユニット側磁石３９を設けるとともに、このオーディオユニット側磁石３９と対極が向かい合わせになるように、レール２２にコントロールパネル側磁石３８を設ける構成としてもよい。この構成によると、取付部１６，１８が、オーディオユニット側磁石３９とコントロールパネル側磁石３８との磁力により、コントロールパネル２上に取り付けられるため、オーディオユニットＡｕのレール２２上における移動を規制することができる。このとき、上記実施形態に示したような、オーディオユニットＡｕを、挿入部２６からレール２２上をスライドさせて取り付ける構成に限定されず、各オーディオユニットＡｕを、コントロールパネル２上をスライドさせることなく、直接貼り付ける構成であってもよい。【００３２】
上記実施形態では、音響装置１００に取り付けるオーディオユニットＡｕを、オーディオ操作／イコライザユニットＡｕ−１、オーディオプレーヤユニットＡｕ−２、ラジオユニットＡｕ−３としたが、これに限らず、その他の機能を有するオーディオユニットＡｕであってもよい。また、例えば、上記実施形態では、チューナ部３２やアンテナ３３を音響装置本体１内に備えているが、これに限らず、オーディオユニットＡｕ内に備えていても良い。
上記実施形態では、音響装置本体１はＨＤＤ８や音声再生部９等を備えているが、これに限らず、音響装置本体は大出力アンプやＣＤ／ＤＶＤプレーヤ等を備え、ＣＤ／ＤＶＤの出し入れは、コントロールパネルを開閉することによって行う構成であってもよい。この場合において、大出力アンプやＣＤ／ＤＶＤプレーヤ等の操作部を、オーディオユニットＡｕが備えていてもよい。【００３３】
上記実施形態では、オーディオユニットＡｕとコントロールパネル２との接続、及び、コントロールパネル２と音響装置本体１との接続を、共通コネクタ３４と個別コネクタ３５とで接続する構成としているが、これに限定されることはない。例えば、オーディオユニットＡｕとコントロールパネル２とを、オーディオユニットＡｕをコントロールパネルに取り付けたときにオーディオユニットＡｕとコントロールパネルとに設けられた接触接点が接触して接続されたり、コントロールパネルを音響装置本体に取り付けたときにコントロールパネルと音響装置本体とに設けられた接触接点が接触して接続されたりする構成であってもよい。
【図１】
0004709222.tif 000002
【図２】
0004709222.tif 000003
【図３】
0004709222.tif 000004
【図４】
0004709222.tif 000005
【図５】
0004709222.tif 000006
【図６】
0004709222.tif 000007
【図７】
0004709222.tif 000008
【図８】
0004709222.tif 000009
【図９】
0004709222.tif 000010
【図１０】
0004709222.tif 000011
【図１１】
0004709222.tif 000012
【図１２】
0004709222.tif 000013
【図１３】
0004709222.tif 000014
【図１４】
0004709222.tif 000015
【図１５】
0004709222.tif 000016
【図１６】
0004709222.tif 000017
【図１７】
0004709222.tif 000018
【図１８】
0004709222.tif 000019
【図１９】
0004709222.tif 000020
【図２０】
0004709222.tif 000021
【図２１】
0004709222.tif 000022
【図２２】
0004709222.tif 000023
【図２３】
0004709222.tif 000024
【図２４】
0004709222.tif 000025